(57)【特許請求の範囲】
【請求項１】
大棟部から少なくとも前方に屋根地が設けられた屋根を有する輿本体と、
前記大棟部の左右方向に沿って前記大棟部上面に所定の間隔を置いて配置されており、前記左右方向に直交して前記大棟部から少なくとも前方に突出する突出位置、及び前記左右方向に沿って前記大棟部から前方に突出しない退避位置の間で回転可能に設けられている複数のかつお木とを備えることを特徴とする祭壇。
【請求項２】
前記かつお木が、前記大棟部上面に略鉛直方向に沿って設けられた軸部材周りに、回転可能に設けられていることを特徴とする請求項１記載の祭壇。
【請求項３】
前記かつお木の回転中心が、前記かつお木の長手方向中央部であることを特徴とする請求項２記載の祭壇。
【請求項４】
前記かつお木の回転中心が、前記かつお木の長手方向中央部から偏心した位置であることを特徴とする請求項２記載の祭壇。
【請求項５】
互いに隣り合う２つのかつお木が前記退避位置にある状態において互いに対向する２つの長手方向端部の少なくとも一方が、上面視において先端に行くにつれて幅が小さくなる形状であり、
前記互いに隣り合う２つのかつお木の少なくとも一方が回転する場合に、前記互いに対向する２つの長手方向端部が、互いに接触しないように構成されていることを特徴とする請求項１乃至４の何れかに記載の祭壇。
【請求項６】
前記突出位置及び前記退避位置において前記かつお木を位置決めするかつお木位置決め機構をさらに備えることを特徴とする請求項１乃至５の何れかに記載の祭壇。
【発明の詳細な説明】
【技術分野】
【０００１】
本発明は、祭壇に関するものである。
【背景技術】
【０００２】
祭壇は葬儀の際に用意されるものであり、神式と仏式とでは異なる様式の祭壇が用いられる。仏式祭壇を例に挙げると、特許文献１に開示されているように、輿、本尊、位牌、遺骨、遺影、行燈、お供え物、献花等が、仏教における各宗派のしきたりに応じて祭壇上に配置される。
【０００３】
また、寺院や神社等の場所で葬儀を行う場合には、それぞれ専用の祭壇が用意されているが、故人の自宅や公民館等といった専用の祭壇が用意されていない場所で葬儀を行う場合には、例えば葬祭業者や葬祭用具レンタル業者等が、依頼された葬儀の様式に合った祭壇を用意する必要がある。このように葬祭業者や葬祭用具レンタル業者等は、各様式に合った祭壇を用意することが求められている。
【０００４】
ここで、神式祭壇と仏式祭壇とでは、輿の屋根において千木及びかつお木の有無等の違いがあるため、神式及び仏式の両方の葬儀に対応するためには、少なくとも２種類の輿を用意する必要がある。このため、２種類の異なる輿を用意しておくことを余儀なくされ、この２種類の輿のために広い収納スペースを確保しなければならない。なお、仏式祭壇を神式祭壇に用いることができれば、２種類の輿を用意する必要が無いとも考えられるが、神職はかつお木が無い祭壇では祝詞をあげることはしない。
【０００５】
この問題に対しては、例えば、神式祭壇に用いられる輿の千木及びかつお木を当該輿の屋根に対して着脱可能に設けて、この千木及びかつお木を屋根に取り付けることによって神式祭壇用の輿、千木及びかつお木を屋根から取り外すことによって仏式祭壇用の輿とすることが考えられる。
【０００６】
しかしながら、輿の屋根に対して千木及びかつお木を着脱可能に設けることによって神式祭壇用の輿と仏式祭壇用の輿とを使い分けるものであると、仏式祭壇用の輿とすべく千木及びかつお木を輿の屋根から取り外す必要があり作業が煩雑となる。特にかつお木の本数が多いため、その取り付け及び取り外し作業に手間がかかってしまう。また、かつお木は、本数が多い上に、円柱状をなす短材等の単純な形状であるため、取り外した後に紛失し易いという問題がある。
【先行技術文献】
【特許文献】
【０００７】
【特許文献１】特開平０８−１７３３０９号公報
【発明の概要】
【発明が解決しようとする課題】
【０００８】
そこで本発明は、上記問題点を一挙に解決すべくなされたものであり、神式祭壇及び仏式祭壇の両方に対応可能とするだけでなく、かつお木を輿から着脱する必要の無い祭壇を提供することを主たる所期課題とするものである。
【課題を解決するための手段】
【０００９】
すなわち本発明に係る祭壇は、大棟部から少なくとも前方に屋根地が設けられた屋根を有する輿本体と、前記大棟部の左右方向に沿って前記大棟部上面に所定の間隔を置いて配置されており、前記左右方向に直交して前記大棟部から少なくとも前方に突出する突出位置、及び前記左右方向に沿って前記大棟部から前方に突出しない退避位置の間で回転可能に設けられている複数のかつお木とを備えることを特徴とする。
【００１０】
このようなものであれば、かつお木が大棟部から前方に突出した突出位置及び大棟部から前方に突出しない退避位置の間で回転可能に設けられているので、かつお木が突出位置にある状態で神式祭壇、かつお木が退避位置にある状態で仏式祭壇として用いることができる。このように本発明は、かつお木を回転させるだけで神式祭壇及び仏式祭壇の両方に対応することができるだけでなく、かつお木を輿から着脱する必要が無い。したがって、かつお木の取り付け及び取り外し作業を不要にすることができ、かつお木の紛失や着脱の際の手間といった問題を解決することができる。
【００１１】
ここで、かつお木を回転可能に設けるための具体的な構成としては、前記かつお木が、前記大棟部上面に略鉛直方向に沿って設けられた軸部材周りに、回転可能に設けられていることが考えられる。この場合、かつお木は、軸部材周りに水平方向に回転することになる。このように構成することで、前記軸部材の配置間隔によって前記かつお木の配置間隔も規定することができ、前記退避位置における互いに隣り合うかつお木の間隔を精度良く規定することができる。
【００１２】
また、かつお木を時計回り及び反時計回りの何れの回転方向に回しても良い構成とするためには、前記かつお木の回転中心が、前記かつお木の長手方向中央部であることが望ましい。これならば、かつお木が屋根から前方に突出するだけでなく、後方にも突出する構成となるため、前記大棟部の後方にも屋根が設けられている場合や、表裏でデザインの違う祭壇を反転させて神式祭壇として用いる場合にも対応することができる。
【００１３】
また、前記かつお木の数を増やすと１本当たりの長さが短くなってしまうが、この場合であっても突出位置にあるかつお木を屋根から前方に十分に突出させるためには、前記かつお木の回転中心が、前記かつお木の長手方向中央部から偏心した位置であることが望ましい。なお、この構成により、屋根から後方に突出させないようにできるため、輿における後方のスペースを有効活用することができる。
【００１４】
また、退避位置において互いに隣接するかつお木を可及的に近づけることによって見栄えを良くするとともに、かつお木が回転する際に隣り合うかつお木と接触しないようにするためには、互いに隣り合う２つのかつお木が前記退避位置にある状態において、互いに対向する２つの長手方向端部の少なくとも一方が、上面視において先端に行くにつれて幅が小さくなる形状であり、前記互いに隣り合う２つのかつお木の少なくとも一方が回転する場合に、前記互いに対向する２つの長手方向端部が、互いに接触しないように構成されていることが望ましい。
【００１５】
かつお木を突出位置及び退避位置に精度良く容易に位置決めするためには、前記突出位置及び前記退避位置において前記かつお木を位置決めするかつお木位置決め機構をさらに備えることが望ましい。
【発明の効果】
【００１６】
このように構成した本発明によれば、かつお木が輿本体の屋根に回転可能に設けられているので、神式祭壇及び仏式祭壇の両方に対応可能とするだけでなく、かつお木を輿から着脱する必要の無い祭壇を提供することができる。
【図面の簡単な説明】
【００１７】
【図１】本実施形態の祭壇を神式祭壇とした場合の正面図。
【図２】同実施形態の祭壇を神式祭壇とした場合を模式的に示す斜視図。
【図３】同実施形態の祭壇を神式祭壇とした場合を模式的に示す正面図。
【図４】同実施形態の祭壇を神式祭壇とした場合を模式的に示す平面図。
【図５】同実施形態のかつお木の構成を模式的に示す平面図。
【図６】同実施形態のかつお木の長手方向端部の構成を模式的に示す平面図。
【図７】同実施形態の祭壇を仏式祭壇とした場合の正面図。
【図８】同実施形態の祭壇を仏式祭壇とした場合を模式的に示す斜視図。
【図９】同実施形態の祭壇を仏式祭壇とした場合を模式的に示す正面図。
【図１０】同実施形態の祭壇を仏式祭壇とした場合を模式的に示す平面図。
【図１１】変形実施形態のかつお木の長手方向端部の構成を模式的に示す平面図。
【発明を実施するための形態】
【００１８】
以下に本発明の一実施形態について図面を参照して説明する。なお、図１〜図４には祭壇１００を神式祭壇とした場合を示しており、図７〜図１０には祭壇１００を仏式祭壇とした場合を示している。
【００１９】
本実施形態に係る祭壇１００は、前半分にのみ装飾があり後半分が無い半輿であり、図１に示すように、輿本体１と、この輿本体１の屋根２に設けられた複数のかつお木３とを備える。なお、図１における符号４は、神式祭壇に用いる場合に輿本体１の屋根２に取り付けられる千木である。
【００２０】
輿本体１は、祭壇１００の最上段に設けられるものであり、主に塗料を塗っていない白木等の木材により構成される。この輿本体１は、図１〜図３等に示すように、前面に模様が彫刻等によって施された装飾表示部１ａと、この装飾表示部１ａの上部に設けられた屋根２とを有する。
【００２１】
屋根２は、図１〜図４に示すように、正面視において左右方向に延伸して設けられた大棟部２１と、この大棟部２１から前方且つ下方へ向かう斜面を有する屋根地２２とを有する。
【００２２】
かつお木３は、主に塗料を塗っていない白木等の木材で構成される棒状の部材である。本実施形態のかつお木３は、図２等に示すように、概略円柱形状をなすものである。
【００２３】
そして、かつお木３は、特に図４等に示すように、大棟部２１の左右方向（延伸方向）に沿って、当該大棟部２１の上面２１ａに所定の間隔を置いて配置されている。本実施形態では、図４等に示すように、大棟部２１の左右方向に沿って等間隔に１０本のかつお木３が配置されている。
【００２４】
具体的に各かつお木３は、図５に示すように、かつお木３の長手方向が前記大棟部２１の左右方向に直交して大棟部２１から前方及び後方に突出する突出位置Ｐ１と、かつお木３の長手方向が左右方向に沿って平行となり大棟部２１から前方及び後方に突出しない退避位置Ｐ２との間で回転可能に設けられている。突出位置Ｐ１は、祭壇１００が神式祭壇として用いられる位置であり、退避位置Ｐ２は、祭壇１００が仏式祭壇として用いられる位置である。
【００２５】
なお、退避位置Ｐ２においてかつお木３が大棟部２１から突出しないとは、かつお木３の長手方向両端部が大棟部２１から突出しないことをいい、かつお木３の幅が大棟部２１の幅よりも大きいことにより、かつお木３の側面部分が大棟部２１から若干はみ出すことを妨げるものではない。
【００２６】
具体的に各かつお木３は、図５等に示すように、大棟部２１の上面２１ａに略鉛直方向に沿って設けられた軸部材５によって、当該軸部材５周りに水平方向に回転可能に設けられている。より詳細には、各かつお木３が、前記軸部材５が挿入される回転軸孔３ａを有し、当該回転軸孔３ａに軸部材５が挿入されることによって各かつお木３が回転可能とされている。本実施形態では、かつお木３に設けられた回転軸孔３ａは、当該かつお木３の長手方向中心部に設けられている。
【００２７】
大棟部２１の上面２１ａに設けられた軸部材５は、大棟部２１の左右方向に沿って配置されており、当該軸部材５それぞれにかつお木３が装着されることによって、複数のかつお木３が大棟部２１の上面２１ａに回転可能に設けられる。なお、軸部材５の構成としては、大棟部２１の上面２１ａに設けられた円柱状の構造体であっても良いし、かつお木３を大棟部２１の上面２１ａに回転可能に取り付けるための釘部材であっても良い。なお、釘部材を用いた場合には、かつお木３及び大棟部２１に釘部材を打ち込むことによって、当該かつお木３を大棟部２１に回転可能に取り付けることが考えられる。
【００２８】
このように大棟部２１に回転可能に設けられたかつお木３は、前記突出位置Ｐ１及び退避位置Ｐ２となるように、軸部材５に対して時計回り及び反時計回りの何れにも回転可能に設けられる。なお、かつお木３の回転可能範囲は、上記に限られず、時計回り又は反時計回りの何れか一方のみに回転可能としても良い。
【００２９】
また本実施形態では、特に図６に示すように、互いに隣接する２つのかつお木３それぞれが、退避位置Ｐ２から突出位置Ｐ１へ回転する場合、又は突出位置Ｐ１から退避位置Ｐ２へ回転する場合において、互いに接触しないように構成されている。
【００３０】
具体的には、互いに隣接する２つのかつお木３それぞれにおいて、各かつお木３の回転中心から最も離れた部分が、互いに接触しないように構成されている。本実施形態では、各かつお木３の回転中心から最も離れた部分の回転軌跡同士が互いに交差しないように構成されている。
【００３１】
より詳細には、互いに隣接する２つのかつお木３が退避位置Ｐ２にある状態で互いに対向する２つの長手方向端部の少なくとも一方が、上面視において先端に行くにつれて幅が小さくなる形状とされている。つまり、かつお木３の長手方向端部の回転方向を向く両側壁の角部が切り欠かれた形状をなしている。
【００３２】
このように、かつお木３の長手方向端部の回転方向を向く側壁が切り欠かれた形状であることから、各かつお木３の間に形成される隙間Ｃを可及的に小さくすることができる。これにより、祭壇１００を仏式祭壇として用いる場合に、退避位置Ｐ２にある複数のかつお木３が、大棟部２１の左右方向に沿って一列に並んだ場合に、１本の棟木のように見える。なお、この隙間Ｃは、各かつお木３の回転中心から最も離れた部分の回転軌跡同士が互いに交差しない程度において形成する必要がある。
【００３３】
なお、千木４は、図１に示すように、主に塗料を塗っていない白木等の木材で構成され、神式祭壇として用いる場合に大棟部２１の左右方向における両端部に取り付けられる。
【００３４】
次に、祭壇１００を神式祭壇又は仏式祭壇として用いる場合について説明する。
【００３５】
まず、祭壇１００を神式祭壇として用いる場合は、図４及び図５等に示すように、各かつお木３を突出位置Ｐ１とする。また、大棟部２１における左右方向の両端部に千木４を取り付ける。これにより、祭壇１００を神式祭壇として用いることができる（図１参照）。
【００３６】
次に、祭壇１００を仏式祭壇として用いる場合は、図５及び図１０等に示すように、各かつお木３を退避位置Ｐ２とする。これにより、複数のかつお木３は、大棟部２１の左右方向に沿って一列に連なっているように見える。また、大棟部２１における左右方向の両端部に設けられた千木４を取り外す。これにより、祭壇１００を仏式祭壇として用いることができる（図７参照）。
【００３７】
このように構成した本実施形態の祭壇１００によれば、かつお木３が大棟部２１から前方に突出した突出位置Ｐ１及び大棟部２１から前方に突出しない退避位置Ｐ２の間で回転可能に設けられているので、かつお木３が突出位置Ｐ１にある状態で神式祭壇、かつお木３が退避位置Ｐ２にある状態で仏式祭壇として用いることができる。このように本実施形態では、かつお木３を回転させるだけで神式祭壇及び仏式祭壇の両方に対応することができるだけでなく、かつお木３を輿本体１から着脱する必要が無い。したがって、かつお木３の取り付け及び取り外し作業を不要にすることができ、かつお木３の紛失や着脱の際の手間といった問題を解決することができる。
【００３８】
なお、本発明は前記実施形態に限られるものではない。
【００３９】
例えば、かつお木３を突出位置Ｐ１及び退避位置Ｐ２で位置決めするかつお木位置決め機構（不図示）を備えたものであっても良い。このかつお木位置決め機構としては、例えば、大棟部２１又は軸部材５に凹部又は凸部の一方を設け、かつお木３に凹部又は凸部の他方を設けて、突出位置Ｐ１及び退避位置Ｐ２において、前記凹部及び凸部が嵌るように構成することが考えられる。
【００４０】
また、図１１（Ａ）に示すように、互いに隣接する２つのかつお木３において、互いに対向する長手方向端部に一方のみが、上面視において先端に行くにつれて幅が小さくなる形状とされても良い。また、互いに対向する長手方向端部の上面視における形状は、側壁を直線状にきり欠いた形状の他、図１１（Ｂ）に示すように、例えば円形状や楕円形状等であっても良い。
【００４１】
また、回転軸孔３ａが、かつお木３の長手方向中央部から偏心した位置に設けられているものであっても良い。
【００４２】
その他、本発明は前記実施形態に限られず、その趣旨を逸脱しない範囲で種々の変形が可能であるのは言うまでもない。
【符号の説明】
【００４３】
１００・・・祭壇
１    ・・・輿本体
１ａ  ・・・装飾表示部
２    ・・・屋根
２１  ・・・大棟部
２１ａ・・・大棟部の上面
２２  ・・・屋根地
３    ・・・かつお木
３ａ  ・・・回転軸孔
３ｂ  ・・・長手方向端部の幅
４    ・・・千木
５    ・・・軸部材
Ｐ１  ・・・突出位置
Ｐ２  ・・・退避位置
【図１】
0005823317.tif 000002
【図２】
0005823317.tif 000003
【図３】
0005823317.tif 000004
【図４】
0005823317.tif 000005
【図５】
0005823317.tif 000006
【図６】
0005823317.tif 000007
【図７】
0005823317.tif 000008
【図８】
0005823317.tif 000009
【図９】
0005823317.tif 000010
【図１０】
0005823317.tif 000011
【図１１】
0005823317.tif 000012